(57)【要約】【課題】  衣類の形状、種類にとらわれずに、ボタン係合による全ての衣類に対して、ボタンの掛け違いを回避できる衣類の止め部材を提供すること。【解決手段】  予め衣類Ａに縫着されたスナップボタン（止め具）の取り付けピッチと同一ピッチでもって隣接する色彩と異なるように区分けされた帯状の布地とし、夫々区分けされた色彩領域１ａの中央部には、予め衣類Ａに縫着されたスナップボタンａ１と係合可能な雄部２１と雌部２２とが表裏一体的に形成されたスナップボタン状の係合部２を設ける。【選択図】        図１
2005074033.tif 000002
【特許請求の範囲】
【請求項１】
可撓性を有する帯状部材が衣類に設けられた止め具のピッチと歩調するように所定間隔をおいて識別可能に区分され、対峙する雄雌一対の該止め具同士が識別可能なように該止め具または該止め具近傍に止着可能に構成されたことを特徴とする衣類の止め部用掛止補助具。
【請求項２】
前記識別可能に区分けされた領域毎に衣類を止める際に用いられる係合部を設けてなることを特徴とする請求項１記載の衣類の止め部用掛止補助具。
【請求項３】
前記衣類は、ボタンと該ボタンが挿通されるボタン孔とで構成された前記止め具を備えてなり、
前記係合部は、前記識別可能に区分された領域内の夫々の中心部に前記ボタンが挿通可能なボタン挿通孔を設けて構成されていることを特徴とする請求項２記載の衣類の止め部用掛止補助具。
【請求項４】
前記衣類は、雄雌一組のスナップボタンで構成された前記止め具を備えてなり、
前記係合部は、前記止め具のピッチと歩調する間隔で識別可能に区分された領域内の夫々の中心部の表裏に前記スナップボタンと係合可能な雄部及び雌部が設けられたことを特徴とする請求項２記載の衣類の止め部用掛止補助具。
【発明の詳細な説明】
【技術分野】
【０００１】
本発明は、衣類の止め具部分に後付可能な衣類の止め部用掛止補助具に関する。
【背景技術】
【０００２】
従来から開閉可能な衣類は、ジャンパー等に多く採用されているファスナーによる係合と、シャツやパジャマ等に多く採用されているボタンによる係合とがある。
このうち、後者のボタン係合による衣類は、特に、幼児の着替えの練習の際や、介護者による入院患者等の着せ替え作業を行なう際に、ボタンの掛け違いをする場合が往々にしてある。
【０００３】
この問題に着目し、解決したとする従来のものとして、たとえば、衣類の前身頃、後身頃等の合わせ部で常に下側に配設される下合わせ部表面に配設され、隣接する同士が相違する部材を選択された第一のスナップファスナーあるいは掛釦等の第一の結合部材と、第一の結合部材にそれぞれ対応し、結合されるべく上合わせ部位置に配設された第二のスナップファスナーあるいは釦穴等の第一の被結合部と、第一の結合部材に対応して上合わせ部に選択配設された第一の目印部と、第一の目印部に対応して下合わせ部表面に配設された第二の目印部とより構成された着せ替え用衣類がある（例えば、特許文献１参照）
【０００４】
【特許文献１】登録実用新案第３０８１７５７号（第１頁、図１）
【発明の開示】
【発明が解決しようとする課題】
【０００５】
しかしながら、上述した従来の着せ替え用衣類は、スナップファスナーあるいは掛釦毎に目印を縫製した衣類であるため、ボタンなどの掛け違いは解消されると思われるものの、以下の問題点を有している。
【０００６】
すなわち、第１の問題点として、既存の衣類に対しては特に考慮していないため、さまざまな衣類に対応することは現実的でない。
第２の問題点として、たとえば、幼児の着替えの練習に用いた場合、練習であるが故に、目印を付けたものと、付けないものとを交互に着替えさせたり、ある程度、着替えの練習が進んだら、目印をはずして着替えさせることが極めて重要である。しかしながら、目印を縫製した従来の着せ替え用衣類では、容易に目印を衣類から着脱することができないため不便である。
【０００７】
そこで、本発明は、ボタン係合による全ての衣類に対してボタンの掛け違いを回避できる衣類の止め部用掛止補助具を提供することを目的とし、さらに他に目的とするところは、予め設けられた衣類の止め具部分を強度的に補強して、止め具部分を強固にすることができる衣類の止め部用掛止補助具を提供することを目的とする。
【課題を解決するための手段】
【０００８】
上記課題を解決するために本発明にかかる衣類の止め部用掛止補助具は、下記の技術的手段を講じた。
すなわち、請求項１にかかる衣類の止め部用掛止補助具は、可撓性を有する帯状部材が衣類に設けられた止め具のピッチと歩調するように所定間隔をおいて識別可能に区分され、対峙する雄雌一対の該止め具同士が識別可能なように該止め具または該止め具近傍に止着可能に構成されたことを特徴とする。
請求項２にかかる衣類の止め部用掛止補助具は、請求項１において、前記識別可能に区分けされた領域毎に衣類を止める際に用いられる係合部を設けてなること特徴とする。
請求項３にかかる衣類の止め部用掛止補助具は、請求項２において、前記衣類は、ボタンと該ボタンが挿通されるボタン孔とで構成された前記止め具を備えてなり、前記係合部は、前記識別可能に区分された領域内の夫々の中心部に前記ボタンが挿通可能なボタン挿通孔を設けて構成されていることを特徴とする。
請求項４にかかる衣類の止め部用掛止補助具は、請求項２において、前記衣類は、雄雌一組のスナップボタンで構成された前記止め具を備えてなり、前記係合部は、前記止め具のピッチと歩調する間隔で識別可能に区分された領域内の夫々の中心部の表裏に前記スナップボタンと係合可能な雄部及び雌部が設けられたことを特徴とする。
【発明の効果】
【０００９】
本発明によれば、衣類の形状、種類にとらわれずに、ボタンの掛け違いを回避できる衣類の止め部用掛止補助具を提供することができる。
また、予め衣類に縫着されていたボタン部分に着脱可能に付加する構成にしたから、かかる部分の強度を向上することができる。
【発明を実施するための最良の形態】
【００１０】
次に、本発明を実施するための最良の形態を添付図面に基づいて説明をする。
本実施の形態にかかる衣類の止め部用掛止補助具１は、予め衣類Ａに縫着されたスナップボタン（止め具）ａ１の取り付けピッチと同一ピッチでもって隣接する色彩と異なるように区分けされた帯状の布地であり、図１に示すように、夫々区分けされた色彩領域１ａの中央部には、予め衣類Ａに縫着されたスナップボタンａ１と係合可能な雄部２１と雌部２２とが表裏一体的に形成されたスナップボタン状の係合部２が設けられてなる。なお、未使用状態時は、持ち運びや収納に便利なように巻回されている（巻回可能になっている）。
【００１１】
このように構成された本実施の形態の衣類の止め部用掛止補助具１は、図２及び図３に示すように、たとえば、幼児服（Ａ）に縫着されたスナップボタンａ１の雄部ａ２、雌部ａ３の夫々の全長に亘って係合される所定長さで、かつ、色彩の順番が一致するように裁縫ハサミなどで区分けの境目を切断する。
【００１２】
このようにして、２本１組の帯（衣類の止め部用掛止補助具１）が用意できたら、幼児服（Ａ）のスナップボタンａ１の雄部ａ２と本実施の形態の衣類の止め部用掛止補助具１の雌部２２、及び、幼児服（Ａ）のスナップボタンａ１の雌部ａ３と本実施の形態の衣類の止め部用掛止補助具１の雄部２１、夫々を係合させて、色彩の順番が揃った新たな止め具部分を幼児服（Ａ）に形成する（図３参照）。なお、幼児服（Ａ）のスナップボタンａ１と係合させながら所要の長さで切断しても良いもので、その作業手順は任意である。
【００１３】
このように、止め具部分の係合関係が色彩によって識別可能に区分けされた幼児服（Ａ）を、着替えの練習に用いる（適宜、この２本１組の帯を幼児服（Ａ）から取り外すことは任意である）ことで、着替え訓練の指導を容易に、かつ、学習効果を促進することができる。
【００１４】
また、本実施の形態の衣類の止め部用掛止補助具１の他の態様として、予め衣類Ａに縫着された止め具が上記したようなスナップボタンａ１ではなく、ボタンａ４とボタン孔ａ５とで構成されたボタン係合の場合は、図４に示したように、衣類の止め部用掛止補助具１’を、予め衣類Ａに縫着されたボタンａ４及びボタン孔ａ５の配設ピッチと同一ピッチでもって隣接する色彩と異なるように区分けされた一組の帯状の布地とし、夫々区分けされた色彩領域の中央部に、予め衣類Ａに縫着されたボタンａ４が挿通可能なボタン挿通孔３を設けて構成する。
【００１５】
このように構成された他の態様の掛止補助具１’は、図示したように、ボタンａ４側に配設される一方の掛止補助具１’をボタンａ４に挿通させて掛止させる。また、ボタン孔ａ５側に配設される他方の掛止補助具１’は、そのボタン孔ａ５側の一方の掛止補助具１’と色彩順が同じになるように、マジックテープなどの面ファスナーａ６を介して衣類Ａに止着させる。
そして、この掛止補助具１’を挟むように介して、予め衣類Ａに設けられたボタンａ４とボタン孔ａ５とを係合させる。
【００１６】
以上、本実施の形態にかかる衣類の止め部用掛止補助具を説明したが、上述した実施形態は、本発明の好適な実施形態の一例を示すものであり、本発明はそれに限定されるものではなく、その要旨を逸脱しない範囲内において、種々変形実施が可能である。
【００１７】
たとえば、本実施の形態では、帯状部材にボタン孔やスナップボタン状の係合部を設けたものを例示しているが、必ずしもこれらの係合部を設けなくても良いものである。すなわち、識別可能な帯状部材のみで衣類の止め部用掛止補助具を構成し、適宜、衣類の止め具近傍に縫着したり、アイロンなどで加圧及び加熱することで止着される接着部材を識別可能な帯状部材に塗布あるいは貼着して衣類へ止着可能に構成しても良いものである。
【００１８】
また、本実施の形態では、雄雌一体型のスナップボタン状の係合部を設けたものを例示したが、他の態様として、予め衣類に設けられたスナップボタンと係合するスナップボタンを色分けされた領域内に設けてもよいもので、その場合、衣類を止めるためのボタンやボタン孔、スナップボタンなどの新たな止め具を区分けされた夫々の識別可能領域内に設けて構成する。
【００１９】
また、この衣類の止め部用掛止補助具は、その材質は特に限定されていないが、布地のほかに、不織布や、ビニールなどの樹脂で構成しても良い。例えば、雨ガッパなどに適用させた場合、撥水性のあるビニール等の合成樹脂で衣類の止め部用掛止補助具を構成することが好ましい。
【００２０】
また、この衣類の止め部用掛止補助具を、わざと襟元などから露出するようにすることで、装飾的効果をも付加することができる。
【図面の簡単な説明】
【００２１】
【図１】本実施の形態にかかる衣類の止め部用掛止補助具の斜視図である。
【図２】幼児服（衣類）に衣類の止め部用掛止補助具を止着させた状態の斜視図である。
【図３】図２におけるＡ−Ａ断面図である。
【図４】他の態様を示す断面図である。
【符号の説明】
【００２２】
１、１’  衣類の止め部用掛止補助具
１ａ  色彩領域
２  係合部
２１  雄部
２２  雌部
３  ボタン挿通孔
Ａ  衣類（幼児服）
ａ１  スナップボタン
ａ２  雄部
ａ３  雌部
ａ４  ボタン
ａ５  ボタン孔
ａ６  面ファスナー
【図１】
2005074033.tif 000003
【図２】
2005074033.tif 000004
【図３】
2005074033.tif 000005
【図４】
2005074033.tif 000006